(57)【要約】      （修正有）【課題】広角化を達成しつつ中心付近の物体を大きく写すことができる、全長が短く大口径で諸収差が良好に補正された撮像光学系を提供する。【解決手段】物体側から順に、正または負の第１レンズ群Ｇ１と、開口絞りＳと、正の第２レンズ群Ｇ２とから構成され、第１レンズ群は、最も物体側に負レンズを有し、第１レンズ群中の最も物体側の負レンズは、物体側の面に、近軸において物体側に凸面を向け、その有効径内で近軸曲率が最も大きく、且つ、その有効径内に近軸曲率の１／２以下の曲率となる部分を含む非球面を有し、次の条件式を満足する。Ｒ１／ｆ＜１．３５、Ｄ１／ｆ＞０．４、−２．５＜ｆ１／ｆ＜−１．３、Ｖ＞５６、但し、ｆ：レンズ全系の焦点距離、ｆ１、Ｒ１、Ｄ１：第１レンズ群中の最も物体側の負レンズのそれぞれ焦点距離、物体側の面の近軸曲率半径、光軸に沿った厚さ、Ｖ：第２レンズ群中の最も開口絞り側のレンズのｄ線に対するアッベ数。【選択図】図１
2017173807.tif 000002
【特許請求の範囲】
【請求項１】
物体側から順に、正または負の屈折力を持つ第１レンズ群と、開口絞りと、正の屈折力を持つ第２レンズ群とから構成されており、
第１レンズ群は、最も物体側に負レンズを有しており、
第１レンズ群中の最も物体側の負レンズは、物体側の面に、近軸において物体側に凸面を向け、その有効径内で近軸曲率が最も大きく、且つ、その有効径内に近軸曲率の１／２以下の曲率となる部分を含む非球面を有しており、
次の条件式（１）、（２）、（３）、（４）を満足することを特徴とする撮像光学系。
（１）Ｒ１／ｆ＜１．３５
（２）Ｄ１／ｆ＞０．４
（３）−２．５＜ｆ１／ｆ＜−１．３
（４）Ｖ＞５６
但し、
ｆ：レンズ全系の焦点距離、
ｆ１：第１レンズ群中の最も物体側の負レンズの焦点距離、
Ｒ１：第１レンズ群中の最も物体側の負レンズの物体側の面の近軸曲率半径、
Ｄ１：第１レンズ群中の最も物体側の負レンズの光軸に沿った厚さ、
Ｖ：第２レンズ群中の最も開口絞り側のレンズのｄ線に対するアッベ数。
【請求項２】
請求項１記載の撮像光学系において、
次の条件式（５）を満足する撮像光学系。
（５）−０．４５＜ｆ１／ｆｇ１＜１
但し、
ｆ１：第１レンズ群中の最も物体側の負レンズの焦点距離、
ｆｇ１：第１レンズ群の焦点距離。
【請求項３】
請求項１または２記載の撮像光学系において、
次の条件式（６）を満足する撮像光学系。
（６）０．３＜（Ｒ１−Ｒ２）／（Ｒ１＋Ｒ２）＜０．５５
但し、
Ｒ１：第１レンズ群中の最も物体側の負レンズの物体側の面の近軸曲率半径、
Ｒ２：第１レンズ群中の最も物体側の負レンズの像側の面の近軸曲率半径。
【請求項４】
請求項１ないし３のいずれか１項記載の撮像光学系において、
第１レンズ群は、最も物体側の負レンズに続く正レンズを有している撮像光学系。
【請求項５】
請求項４記載の撮像光学系において、
第１レンズ群中の最も物体側の負レンズに続く正レンズは、像側に凸面を向けた正メニスカスレンズである撮像光学系。
【請求項６】
請求項４または５記載の撮像光学系において、
第１レンズ群中の最も物体側の負レンズに続く正レンズは、ｄ線に対するアッベ数が３５以上である撮像光学系。
【請求項７】
請求項１ないし６のいずれか１項記載の撮像光学系において、
第２レンズ群は、ｄ線に対するアッベ数が７０以上である正レンズを少なくとも１枚有している撮像光学系。
【請求項８】
請求項１ないし７のいずれか１項記載の撮像光学系において、
第２レンズ群は、ｄ線に対するアッベ数が２０以下である負レンズを少なくとも１枚有している撮像光学系。
【発明の詳細な説明】
【技術分野】
【０００１】
本発明は、例えば、車載カメラ、監視カメラ、携帯端末用カメラなどの撮像機器に搭載可能な撮像光学系に関する。
【背景技術】
【０００２】
従来、広画角の確保と画面中央領域の望遠画像の高精細化とを両立する撮像光学系が知られている。特許文献１には負の歪曲収差を大きく発生させて広角化を図るとともに画面中央部の拡大画像を得ることができる撮像光学系が開示されている。
【先行技術文献】
【特許文献】
【０００３】
【特許文献１】特開２００５−０１０５２１号公報
【発明の概要】
【発明が解決しようとする課題】
【０００４】
しかしながら、特許文献１の撮像光学系は、大口径にすると撮像光学系の全長が長くなり、全長を短くすると口径比を大きくできないという欠点があった。例えば、特許文献１の実施例４にＦナンバー１．８程度の比較的大口径な撮像光学系が開示されているが、撮像光学系の全長を最大像高で割った値は９．８であり、最大像高に対して全長が長い。一方、特許文献１の実施例１は、撮像光学系の全長を最大像高で割った値が５．１で最大像高に対する全長が比較的短いが、Ｆナンバーが２．８で口径比が大きくない。
【０００５】
本発明は、以上の問題意識に基づいてなされたものであり、広角化を達成しつつも中心付近の物体を大きく写すことができる、全長が短くかつ大口径で諸収差が良好に補正された撮像光学系を得ることを目的とする。
【課題を解決するための手段】
【０００６】
本発明の撮像光学系は、物体側から順に、正または負の屈折力を持つ第１レンズ群と、開口絞りと、正の屈折力を持つ第２レンズ群とから構成されており、第１レンズ群は、最も物体側に負レンズを有しており、第１レンズ群中の最も物体側の負レンズは、物体側の面に、近軸において物体側に凸面を向け、その有効径内で近軸曲率（中心部曲率）が最も大きく、且つ、その有効径内に近軸曲率（中心部曲率）の１／２以下の曲率となる部分を含む非球面を有しており、次の条件式（１）、（２）、（３）、（４）を満足することを特徴としている。
（１）Ｒ１／ｆ＜１．３５
（２）Ｄ１／ｆ＞０．４
（３）−２．５＜ｆ１／ｆ＜−１．３
（４）Ｖ＞５６
但し、
ｆ：レンズ全系の焦点距離、
ｆ１：第１レンズ群中の最も物体側の負レンズの焦点距離、
Ｒ１：第１レンズ群中の最も物体側の負レンズの物体側の面の近軸曲率半径（近軸の凸面の曲率半径）、
Ｄ１：第１レンズ群中の最も物体側の負レンズの光軸に沿った厚さ、
Ｖ：第２レンズ群中の最も開口絞り側のレンズのｄ線に対するアッベ数、
である。
【０００７】
本発明の撮像光学系は、条件式（４）が規定する条件式範囲の中でも、次の条件式（４’）を満足することが好ましい。
（４’）Ｖ＞６３
【０００８】
本明細書で「物体側から順に第１レンズ群と開口絞りと第２レンズ群が位置している（別言すると第１レンズ群と第２レンズ群の間に開口絞りが位置している）」とは、第１レンズ群の最も像側の面と第２レンズ群の最も物体側の面の間に開口絞りが位置している場合の他、開口絞りが第１レンズ群の最も像側の面に接する光軸直交平面内かそれより若干物体側に位置して光軸方向位置を重ならせている場合、開口絞りが第２レンズ群の最も物体側の面に接する光軸直交平面内かそれより若干像側に位置して光軸方向位置を重ならせている場合を含む概念で使用する。
【０００９】
本明細書で「レンズの有効径」とは、当該レンズを含む光学系により形成される像の中心（光軸上）から最大像高に至るまでの各光線のうち、当該レンズの最も光軸から離れた位置を通る光線で決まる当該レンズの光線最大通過領域のことを意味している。
【００１０】
本発明の撮像光学系は、次の条件式（５）を満足することが好ましい。
（５）−０．４５＜ｆ１／ｆｇ１＜１
但し、
ｆ１：第１レンズ群中の最も物体側の負レンズの焦点距離、
ｆｇ１：第１レンズ群の焦点距離、
である。
【００１１】
本発明の撮像光学系は、次の条件式（６）を満足することが好ましい。
（６）０．３＜（Ｒ１−Ｒ２）／（Ｒ１＋Ｒ２）＜０．５５
但し、
Ｒ１：第１レンズ群中の最も物体側の負レンズの物体側の面の近軸曲率半径（近軸の凸面の曲率半径）、
Ｒ２：第１レンズ群中の最も物体側の負レンズの像側の面の近軸曲率半径、
である。
【００１２】
第１レンズ群は、最も物体側の負レンズに続く正レンズを有することができる。
【００１３】
第１レンズ群中の最も物体側の負レンズに続く正レンズは、像側に凸面を向けた正メニスカスレンズとすることができる。
【００１４】
第１レンズ群中の最も物体側の負レンズに続く正レンズは、ｄ線に対するアッベ数を３５以上とすることができる。
【００１５】
第２レンズ群は、ｄ線に対するアッベ数が７０以上である正レンズを少なくとも１枚有することができる。
【００１６】
第２レンズ群は、ｄ線に対するアッベ数が２０以下である負レンズを少なくとも１枚有することができる。
【発明の効果】
【００１７】
本発明によれば、広角化を達成しつつも中心付近の物体を大きく写すことができる、全長が短くかつ大口径で諸収差が良好に補正された撮像光学系が得られる。
【図面の簡単な説明】
【００１８】
【図１】本発明による撮像光学系の数値実施例１のレンズ構成図である。
【図２】図１のように構成された撮像光学系の諸収差図である。
【図３】本発明による撮像光学系の数値実施例２のレンズ構成図である。
【図４】図３のように構成された撮像光学系の諸収差図である。
【図５】本発明による撮像光学系の数値実施例３のレンズ構成図である。
【図６】図５のように構成された撮像光学系の諸収差図である。
【図７】本発明による撮像光学系の数値実施例４のレンズ構成図である。
【図８】図７のように構成された撮像光学系の諸収差図である。
【図９】本発明による撮像光学系の数値実施例５のレンズ構成図である。
【図１０】図９のように構成された撮像光学系の諸収差図である。
【図１１】本発明による撮像光学系の数値実施例６のレンズ構成図である。
【図１２】図１１のように構成された撮像光学系の諸収差図である。
【図１３】本発明による撮像光学系の数値実施例７のレンズ構成図である。
【図１４】図１３のように構成された撮像光学系の諸収差図である。
【図１５】本発明による撮像光学系の数値実施例８のレンズ構成図である。
【図１６】図１５のように構成された撮像光学系の諸収差図である。
【図１７】本発明による撮像光学系の数値実施例９のレンズ構成図である。
【図１８】図１７のように構成された撮像光学系の諸収差図である。
【図１９】本発明による撮像光学系の数値実施例１０のレンズ構成図である。
【図２０】図１９のように構成された撮像光学系の諸収差図である。
【図２１】本発明による撮像光学系の数値実施例１１のレンズ構成図である。
【図２２】図２１のように構成された撮像光学系の諸収差図である。
【図２３】本発明による撮像光学系の数値実施例１２のレンズ構成図である。
【図２４】図２３のように構成された撮像光学系の諸収差図である。
【図２５】本発明による撮像光学系の数値実施例１３のレンズ構成図である。
【図２６】図２５のように構成された撮像光学系の諸収差図である。
【発明を実施するための形態】
【００１９】
本実施形態の撮像光学系は、物体側から順に、正または負の屈折力を持つ第１レンズ群Ｇ１と、開口絞りＳと、正の屈折力を持つ第２レンズ群Ｇ２とから構成されている。第１レンズ群Ｇ１は、数値実施例１、５では正の屈折力を持っており、数値実施例２−４、６−１３では負の屈折力を持っている。第２レンズ群Ｇ２と像面ＩＭの間には、数値実施例１、２、４、５、７−１３ではカバーガラスＣＧが配置されており、数値実施例３、６では光学フィルタＯＰとカバーガラスＣＧが配置されている。
【００２０】
第１レンズ群Ｇ１は、数値実施例１では、物体側から順に、非球面ガラスモールドレンズ（両面非球面）からなる負レンズ１１と、球面ガラスレンズからなる正レンズ１２とから構成されている。負レンズ１１の物体側の非球面は、近軸において物体側に凸面を向け、その有効径内で近軸曲率（中心部曲率）が最も大きく、且つ、その有効径内（近軸以外の周辺部）に近軸曲率（中心部曲率）の１／２以下の曲率となる部分を含んでいる。正レンズ１２は両凸正レンズからなる。
【００２１】
第１レンズ群Ｇ１は、数値実施例２−４、６−１３では、物体側から順に、非球面ガラスモールドレンズ（両面非球面）からなる負レンズ１１と、非球面ガラスモールドレンズ（両面非球面）からなる正レンズ１２とから構成されている。負レンズ１１の物体側の非球面は、近軸において物体側に凸面を向け、その有効径内で近軸曲率（中心部曲率）が最も大きく、且つ、その有効径内（近軸以外の周辺部）に近軸曲率（中心部曲率）の１／２以下の曲率となる部分を含んでいる。正レンズは像側に凸面を向けた正メニスカスレンズである。
【００２２】
第１レンズ群Ｇ１は、数値実施例５では、物体側から順に、非球面ガラスモールドレンズ（両面非球面）からなる負レンズ１１’と、球面ガラスレンズからなる正レンズ１２’と、球面ガラスレンズからなる負レンズ１３’と、球面ガラスレンズからなる正レンズ１４’とから構成されている。負レンズ１１’の物体側の非球面は、近軸において物体側に凸面を向け、その有効径内で近軸曲率（中心部曲率）が最も大きく、且つ、その有効径内（近軸以外の周辺部）に近軸曲率（中心部曲率）の１／２以下の曲率となる部分を含んでいる。正レンズ１２’は像側に凸面を向けた正メニスカスレンズである。負レンズ１３’は像側に凸面を向けた負メニスカスレンズである。正レンズ１４’は両凸正レンズである。
【００２３】
第１レンズ群Ｇ１中の最も物体側の負レンズ１１または１１’に続けて正レンズ１２または１２’を設けることにより、負レンズ１１または１１’に入射する軸外光束の光線高さが低く抑えられ、負レンズ１１または１１’のレンズ径を小さくすることができる。また、正レンズ１２または１２’を像側に凸面を向けた正メニスカスレンズとすることで、正レンズ１２または１２’の物体側の面に負の屈折力を持たせて、非点収差と歪曲収差を良好に補正することができる。さらに、正レンズ１２または１２’のｄ線に対するアッベ数を３５以上とすることで、倍率色収差を良好に補正することができる。
【００２４】
後述する数値実施例１−１３に示すように、第２レンズ群Ｇ２のレンズ構成には自由度があり種々のバリエーションが可能である。このバリエーションの中でも、第２レンズ群Ｇ２は、ｄ線に対するアッベ数が７０以上である正レンズを少なくとも１枚有していること、及び／又は、ｄ線に対するアッベ数が２０以下である負レンズを少なくとも１枚有していることが好ましい。第２レンズ群Ｇ２中にｄ線に対するアッベ数が７０以上である低分散ガラスを使った正レンズを含ませることで、軸上色収差を良好に補正することができる。第２レンズ群Ｇ２中にｄ線に対するアッベ数が２０以下である高分散ガラスを使った負レンズを含ませることで、低分散ガラスを使った正レンズと高分散ガラスを使った負レンズの相乗効果により、軸上色収差をより良好に補正することができる。また、当該負レンズの屈折率が大きくなるため曲率半径が大きくなり、撮像素子への光線入射角を小さくすることができる。
【００２５】
第２レンズ群Ｇ２中の最も開口絞りＳ側には、正レンズと負レンズのいずれが配置されてもよい。例えば、後述する数値実施例１では、第２レンズ群Ｇ２中の最も開口絞りＳ側に負レンズ（２１）が配置されており、後述する数値実施例２−１３では、第２レンズ群Ｇ２中の最も開口絞りＳ側に正レンズ（２１’、２１”、２１Ａ、２１Ｂ，２１Ｃまたは２１Ｄ）が配置されている。
【００２６】
本実施形態の撮像光学系は、第１レンズ群Ｇ１中の最も物体側の負レンズ１１または１１’の有効径を小さくし、且つ、レンズ枚数を少なくすることで、レンズ全長を抑えるとともに、撮像光学系ひいてはこれを搭載する撮像機器の小型化を図っている。また本実施形態の撮像光学系はＦナンバーが１．６程度の明るさを実現している。
【００２７】
本実施形態の撮像光学系は、広角化を達成しつつ中心付近の物体を大きく写すために、レンズ中心付近の倍率を決める焦点距離を長くするとともに、レンズ周辺部を広角化している。
【００２８】
より具体的に、第１レンズ群Ｇ１中の最も物体側の負レンズ１１または１１’の物体側の非球面を、近軸において物体側に凸面を向け、その有効径内で近軸曲率（中心部曲率）が最も大きく、且つ、その有効径内（近軸以外の周辺部）に近軸曲率（中心部曲率）の１／２以下の曲率となる部分を含む形状に設定している。これにより、負の歪曲収差を発生させて広角化を達成することが可能になる。第１レンズ群Ｇ１中の最も物体側の負レンズ１１または１１’の上記「部分」の曲率は、小さければ小さいほど（曲率が負の値になる場合は負の絶対値が大きければ大きいほど）広角化に有利である。なお、第１レンズ群Ｇ１中の最も物体側の負レンズ１１または１１’の物体側の非球面は、その有効径内で近軸曲率（中心部曲率）が最も大きい限りにおいて、中心部から周辺部に向かって曲率が減少した後、最周辺部で再び曲率が増加してもよい。
【００２９】
条件式（１）は、レンズ全系の焦点距離と、第１レンズ群Ｇ１中の最も物体側の負レンズ１１または１１’の物体側の面の近軸曲率半径（近軸の凸面の曲率半径）との比を規定している。条件式（１）を満足することで、主点位置が像面ＩＭに対して遠ざかる（負レンズ１１または１１’の物体側の面以降の光学系に関わる横倍率が大きくなる）ので、全系の近軸焦点距離が長くなり、中心付近の物体を大きく写すことが可能になる。
条件式（１）の上限を超えると、中心付近の物体を大きく写すことが困難になってしまう。
【００３０】
条件式（２）は、レンズ全系の焦点距離と、第１レンズ群Ｇ１中の最も物体側の負レンズ１１または１１’の光軸に沿った厚さとの比を規定している。条件式（２）を満足することで、主点位置が像面ＩＭに対して遠ざかる（負レンズ１１または１１’の物体側の面以降の光学系に関わる横倍率が大きくなる）ので、全系の近軸焦点距離が長くなり、中心付近の物体を大きく写すことが可能になる。
条件式（２）の下限を超えると、中心付近の物体を大きく写すことが困難になってしまう。
【００３１】
本実施形態の撮像光学系は、条件式（１）、（２）を満足することにより、センサーサイズで規格化した全系の焦点距離を１．６〜１．７程度まで大きくして、中心付近の物体を大きく写すことが可能になる。
【００３２】
条件式（３）は、レンズ全系の焦点距離と、第１レンズ群Ｇ１中の最も物体側の負レンズ１１または１１’の焦点距離との比を規定している。条件式（３）を満足することで、光学系の全長を短くするとともに中心付近の物体を大きく写すことができる。
条件式（３）の上限を超えると、負レンズ１１または１１’の焦点距離が短くなりすぎて、それ以降の光学系（第１レンズ群Ｇ１中の残りのレンズと第２レンズ群）の横倍率を高めなければならず、光学系の全長が長くなってしまう。
条件式（３）の下限を超えると、中心付近の物体を大きく写すことが困難になってしまう。
【００３３】
条件式（４）及び（４’）は、第２レンズ群Ｇ２中の最も開口絞りＳ側のレンズ（２１、２１’、２１”、２１Ａ、２１Ｂ，２１Ｃまたは２１Ｄ）のｄ線に対するアッベ数を規定している。条件式（４）を満足することで、主たる正の屈折力を負担するレンズのパワーを大きくしても軸上色収差の発生が抑えられるため、パワーを高めてレンズ全長を短縮しつつ、大口径で収差補正が良好な撮像光学系を実現することができる。本実施形態の撮像光学系のＦナンバーは１．６程度であり、レンズ全長を最大像高で割った値が６．３〜９．９程度であり、上述した特許文献１よりも大口径でありながらレンズ全長の短縮化が図られている。この作用効果は、条件式（４’）を満足することでより顕著に得ることができる。
条件式（４）の下限を超えると、大口径で諸収差が良好に補正された撮像光学系の実現が困難になってしまう。
【００３４】
条件式（５）は、第１レンズ群Ｇ１中の最も物体側の負レンズ１１または１１’の焦点距離と、第１レンズ群Ｇ１の焦点距離との比を規定している。条件式（５）を満足することで、中心付近の物体を大きく写すとともに、非点収差を良好に補正し、レンズ全長を短くすることができる。
条件式（５）の範囲を超えると、負レンズ１１または１１’のパワーが小さくなるため全系の焦点距離が短くなり、中心付近の物体を大きく写すことが困難になる。
【００３５】
条件式（６）は、第１レンズ群Ｇ１中の最も物体側の負レンズ１１または１１’の形状（シェーピングファクター）を規定している。条件式（６）を満足することで、負レンズ１１または１１’のレンズ径を小さくするとともに光学系全長の短縮化を図り、中心付近の物体を大きく且つ広い範囲まで写すことができる。
条件式（６）の上限を超えると、負レンズ１１または１１’のレンズ径が大きくなるとともに光学系全長が長くなり、中心付近の物体を大きく且つ広い範囲まで写すことが困難になってしまう。
条件式（６）の下限を超えると、諸収差の補正が困難になる。
【００３６】
≪数値実施例≫
次に具体的な数値実施例１−１３を示す。諸収差図及び表中において、ｄ線、ｇ線、Ｃ線はそれぞれの波長に対する収差、Ｓはサジタル、Ｍはメリディオナル、fはレンズ全系の焦点距離、FNO.はＦナンバー、Wは半画角（゜）、Yは像高（最大像高）、rは曲率半径（近軸曲率半径）、ｄはレンズ厚またはレンズ間隔、N(d)はｄ線に対する屈折率、νｄはｄ線に対するアッベ数、「E-a」は「×10-a」を示す。長さの単位は[mm]である。レンズデータ中の「有効径」は、半径（光軸からの距離）を示している。
回転対称非球面は次式で定義される。
x=cy2/[1+[1-(1+K)c2y2]1/2] +A3y3+A4y4+A6y6+A8y8 +A10y10+A12y12・・・
（但し、cは曲率（１／ｒ）、ｙは光軸からの高さ、Ｋは円錐係数、Ａ３、Ａ４、Ａ６、Ａ８、・・・・・は各次数の非球面係数、ｘはサグ量）
【００３７】
［数値実施例１］
図１〜図２と表１〜表４は、本発明による撮像光学系の数値実施例１を示している。図１はレンズ構成図であり、図２はその諸収差図である。表１は面データ、表２は各種データ、表３は焦点距離データ、表４は非球面データである。
【００３８】
本数値実施例１の撮像光学系は、物体側から順に、正の屈折力を持つ第１レンズ群Ｇ１と、開口絞りＳと、正の屈折力を持つ第２レンズ群Ｇ２とから構成されている。第２レンズ群Ｇ２と像面ＩＭの間には、カバーガラスＣＧが配置されている。
【００３９】
第１レンズ群Ｇ１は、物体側から順に、非球面ガラスモールドレンズ（両面非球面）からなる負レンズ１１と、球面ガラスレンズからなる正レンズ１２とから構成されている。負レンズ１１の物体側の非球面は、近軸において物体側に凸面を向け、その有効径内で近軸曲率（中心部曲率）が最も大きく、且つ、その有効径内（近軸以外の周辺部）に近軸曲率（中心部曲率）の１／２以下の曲率となる部分を含んでいる。正レンズ１２は両凸正レンズである。
【００４０】
第２レンズ群Ｇ２は、物体側から順に、球面ガラスレンズからなる負レンズ２１と、球面ガラスレンズからなる正レンズ２２と、非球面ガラスモールドレンズ（両面非球面）からなる正レンズ２３とから構成されている。負レンズ２１は物体側に凸面を向けた負メニスカスレンズであり、正レンズ２２は両凸正レンズであり、これら負メニスカスレンズ２１と両凸正レンズ２２は接合されている。正レンズ２３は物体側に凸面を向けた正メニスカスレンズである。
【００４１】
（表１）
面データ
面番号       r         d         N(d)       νｄ       有効径
1*         6.968     4.936     1.58313      59.5        6.77
2*         2.206     4.352                              3.86
3         16.598     3.900     1.83481      42.7        3.62
4        -19.444     0.788                              3.07
5(絞り)      ∞      2.834                              2.55
6          8.751     1.000     1.94595      18.0        3.27
7          5.386     3.800     1.55032      75.5        3.30
8        -12.923     0.889                              3.83
9          6.749     2.500     1.55332      71.7        4.58
10*       14.838     3.055                              4.21
11*          ∞      1.900     1.51680      64.2        4.03
12           ∞      0.045                              3.93
IM（像面）
＊は回転対称非球面である。
（表２）
各種データ
f              6.26
FNO.           1.66
W                50
Y              3.82
負レンズ１１の物体側の面の中心における曲率       0.14
（近軸曲率、近軸の凸面の曲率）［1/mm］
負レンズ１１の物体側の面の有効径における曲率    -0.23
（ここでは一例として最周辺部の曲率）［1/mm］
センサーサイズで規格化した全系の焦点距離         1.64
（表３）
焦点距離データ
第１レンズ群Ｇ１の焦点距離     140.686
第２レンズ群Ｇ２の焦点距離       8.457
負レンズ１１の焦点距離          -8.954
正レンズ１２の焦点距離          11.282
負レンズ２１の焦点距離         -17.309
正レンズ２２の焦点距離           7.458
正レンズ２３の焦点距離          20.156
（表４）
非球面データ
面番号   K           A4            A6            A8           A10
1     -1.000  -5.92209E-04  -3.49682E-05   8.18439E-07  -5.71683E-09
2     -1.000  -1.83724E-03  -2.77050E-04   2.22940E-05  -5.45134E-07
10     0.000   3.35987E-05   2.07529E-05  -1.49260E-06   5.03668E-08
11     0.000   6.61187E-04   2.50849E-05  -2.67851E-06   9.50132E-08
【００４２】
［数値実施例２］
図３〜図４と表５〜表８は、本発明による撮像光学系の数値実施例２を示している。図３はレンズ構成図であり、図４はその諸収差図である。表５は面データ、表６は各種データ、表７は焦点距離データ、表８は非球面データである。
【００４３】
この数値実施例２のレンズ構成は、以下の点を除いて、数値実施例１のレンズ構成と同様である。
（１）第１レンズ群Ｇ１が、正の屈折力ではなく、負の屈折力を持っている。
（２）第１レンズ群Ｇ１の正レンズ１２が、非球面ガラスモールドレンズ（両面非球面）からなり、像側に凸面を向けた正メニスカスレンズからなる。
（３）第２レンズ群Ｇ２が、物体側から順に、球面ガラスレンズからなる正レンズ２１’と、球面ガラスレンズからなる負レンズ２２’と、球面ガラスレンズからなる正レンズ２３’と、非球面ガラスモールドレンズ（両面非球面）からなる正レンズ２４’とから構成されている。正レンズ２１’は両凸正レンズである。負レンズ２２’は物体側に凸面を向けた負メニスカスレンズであり、正レンズ２３’は両凸正レンズであり、これら負メニスカスレンズ２２’と両凸正レンズ２３’は接合されている。正レンズ２４’は物体側に凸面を向けた正メニスカスレンズである。
【００４４】
（表５）
面データ
面番号       r         d         N(d)       νｄ       有効径
1*         7.910     4.123     1.58313      59.5        6.30
2*         2.860     3.109                              3.27
3*       -11.725     3.500     1.82080      42.7        2.81
4*        -7.355    -0.425                              2.89
5(絞り)      ∞      2.951                              2.79
6         17.159     2.352     1.55032      75.5        3.05
7        -19.003     1.610                              3.47
8         75.691     1.000     1.92119      24.0        4.00
9          6.818     3.602     1.77250      49.6        4.26
10       -16.803     0.307                              4.55
11         6.239     2.480     1.55332      71.7        4.97
12*        8.264     3.160                              4.57
13*         ∞       1.900     1.51680      64.2        4.17
14          ∞       0.045                              3.93
IM（像面）
＊は回転対称非球面である。
（表６）
各種データ
f              6.26
FNO.           1.60
W                50
Y              3.82
負レンズ１１の物体側の面の中心における曲率       0.13
（近軸曲率、近軸の凸面の曲率）［1/mm］
負レンズ１１の物体側の面の有効径における曲率    -0.03
（ここでは一例として最周辺部の曲率）［1/mm］
センサーサイズで規格化した全系の焦点距離         1.64
（表７）
焦点距離データ
第１レンズ群Ｇ１の焦点距離    -102.869
第２レンズ群Ｇ２の焦点距離       8.661
負レンズ１１の焦点距離         -10.988
正レンズ１２の焦点距離          17.663
正レンズ２１’の焦点距離        16.772
負レンズ２２’の焦点距離        -8.192
正レンズ２３’の焦点距離         6.726
正レンズ２４’の焦点距離        32.045
（表８）
非球面データ
面番号   K           A4            A6            A8           A10
1     -1.000  -7.68189E-04  -2.77245E-05   9.23786E-07  -7.66657E-09
2     -1.000  -1.49875E-03  -8.09204E-05   1.72640E-07   5.18399E-07
3     -1.000  -1.72566E-03  -1.07195E-04   2.37421E-06  -3.39708E-07
4     -1.000  -8.83476E-04  -7.55926E-06  -2.28436E-06   1.33515E-07
12     0.000  -4.13067E-04   2.47787E-05  -1.66662E-06   3.17848E-08
13     0.000  -8.91090E-04   5.73049E-05  -3.97714E-06   9.35300E-08
【００４５】
［数値実施例３］
図５〜図６と表９〜表１２は、本発明による撮像光学系の数値実施例３を示している。図５はレンズ構成図であり、図６はその諸収差図である。表９は面データ、表１０は各種データ、表１１は焦点距離データ、表１２は非球面データである。
【００４６】
この数値実施例３のレンズ構成は、以下の点を除いて、数値実施例２のレンズ構成と同様である。
（１）第２レンズ群Ｇ２とカバーガラスＣＧの間に光学フィルタＯＰが配置されている。
【００４７】
（表９）
面データ
面番号       r         d         N(d)       νｄ       有効径
1*         7.646     4.130     1.58313      59.5        6.27
2*         2.816     3.190                              3.25
3*       -11.666     2.800     1.82080      42.7        2.71
4*         -6.72    -0.450                              2.77
5(絞り)      ∞      4.690                              2.66
6         28.126     2.770     1.55032      75.5        3.82
7        -12.429     0.050                              4.28
8         87.122     1.000     1.84666      23.8        4.48
9          7.147     3.870     1.77250      49.6        4.71
10       -24.305     0.100                              4.92
11         6.397     2.480     1.55332      71.7        5.16
12*        8.146     1.500                              4.72
13*          ∞      1.500     1.51680      64.2        4.66
14           ∞      1.815                              4.43
15           ∞      0.400     1.51680      64.2        4.00
16           ∞      0.045                              3.93
IM（像面）
＊は回転対称非球面である。
（表１０）
各種データ
f              6.32
FNO.           1.60
W                50
Y              3.82
負レンズ１１の物体側の面の中心における曲率       0.13
（近軸曲率、近軸の凸面の曲率）［1/mm］
負レンズ１１の物体側の面の有効径における曲率    -0.02
（ここでは一例として最周辺部の曲率）［1/mm］
センサーサイズで規格化した全系の焦点距離         1.65
（表１１）
焦点距離データ
第１レンズ群Ｇ１の焦点距離    -469.168
第２レンズ群Ｇ２の焦点距離       8.452
負レンズ１１の焦点距離         -11.159
正レンズ１２の焦点距離          15.385
正レンズ２１’の焦点距離        16.053
負レンズ２２’の焦点距離        -9.249
正レンズ２３’の焦点距離         7.555
正レンズ２４’の焦点距離        35.776
（表１２）
非球面データ
面番号   K           A4            A6            A8           A10
1     -1.000  -7.72450E-04  -2.88140E-05   9.37390E-07  -7.64410E-09
2     -1.000  -1.61460E-03  -1.10400E-04   5.26170E-06   1.58100E-07
3     -1.000  -2.04860E-03  -1.21860E-04   1.12110E-06  -5.16890E-07
4     -1.000  -1.14890E-03  -1.75890E-05  -3.12460E-06   1.61930E-07
12     0.000  -3.55960E-04   2.60100E-05  -1.42680E-06   2.25850E-08
13     0.000  -9.01810E-04   6.93750E-05  -4.07240E-06   7.98560E-08
【００４８】
［数値実施例４］
図７〜図８と表１３〜表１６は、本発明による撮像光学系の数値実施例４を示している。図７はレンズ構成図であり、図８はその諸収差図である。表１３は面データ、表１４は各種データ、表１５は焦点距離データ、表１６は非球面データである。
【００４９】
この数値実施例４のレンズ構成は、以下の点を除いて、数値実施例１のレンズ構成と同様である。
（１）第１レンズ群Ｇ１が、正の屈折力ではなく、負の屈折力を持っている。
（２）第１レンズ群Ｇ１の正レンズ１２が、非球面ガラスモールドレンズ（両面非球面）からなり、像側に凸面を向けた正メニスカスレンズからなる。
（３）第２レンズ群Ｇ２が、物体側から順に、球面ガラスレンズからなる正レンズ２１”と、球面ガラスレンズからなる正レンズ２２”と、球面ガラスレンズからなる負レンズ２３”と、球面ガラスレンズからなる正レンズ２４”と、球面ガラスレンズからなる正レンズ２５”とから構成されている。正レンズ２１”は像側に凸面を向けた正メニスカスレンズである。正レンズ２２”は両凸正レンズである。負レンズ２３”は両凹負レンズであり、正レンズ２４”は物体側に凸面を向けた正メニスカスレンズであり、これら両凹負レンズ２３”と正メニスカスレンズ２４”は接合されている。正レンズ２５”は物体側に凸面を向けた正メニスカスレンズである。
【００５０】
（表１３）
面データ
面番号       r         d         N(d)       νｄ       有効径
1*         7.838     4.070     1.58313      59.5        6.57
2*         2.767     3.553                              3.46
3*        -9.748     2.360     1.82080      42.7        3.11
4*        -7.041     0.452                              3.42
5(絞り)      ∞      3.519                              2.82
6        -21.951     1.424     1.55032      75.5        3.08
7         -8.208     2.096                              3.18
8         10.873     3.676     1.55032      75.5        4.28
9        -32.839     0.050                              4.43
10       -56.671     1.000     1.84666      23.8        4.43
11         8.367     3.259     1.77250      49.6        4.55
12       124.293     0.100                              4.71
13         7.775     2.430     1.77250      49.6        5.03
14        15.057     3.000                              4.68
15          ∞       1.900     1.51680      64.2        4.20
16          ∞       0.045                              3.93
IM（像面）
＊は回転対称非球面である。
（表１４）
各種データ
f              6.26
FNO.           1.60
W                50
Y              3.82
負レンズ１１の物体側の面の中心における曲率       0.13
（近軸曲率、近軸の凸面の曲率）［1/mm］
負レンズ１１の物体側の面の有効径における曲率    -0.01
（ここでは一例として最周辺部の曲率）［1/mm］
センサーサイズで規格化した全系の焦点距離         1.64
（表１５）
焦点距離データ
第１レンズ群Ｇ１の焦点距離     -33.746
第２レンズ群Ｇ２の焦点距離       8.609
負レンズ１１の焦点距離         -10.417
正レンズ１２の焦点距離          22.171
正レンズ２１”の焦点距離         7.838
正レンズ２２”の焦点距離        15.300
負レンズ２３”の焦点距離        -8.551
正レンズ２４”の焦点距離        11.473
正レンズ２５”の焦点距離        18.168
（表１６）
非球面データ
面番号   K           A4            A6            A8           A10
1     -1.000  -6.89798E-04  -2.32004E-05   6.59414E-07  -4.66118E-09
2     -1.000  -4.96111E-04  -1.16038E-04   6.54900E-06  -4.91580E-08
3     -1.000  -1.45785E-03  -8.37288E-05   4.66001E-08  -3.99011E-07
4     -1.000  -9.21826E-04  -2.13943E-05  -1.49741E-06   2.91835E-08
【００５１】
［数値実施例５］
図９〜図１０と表１７〜表２０は、本発明による撮像光学系の数値実施例５を示している。図９はレンズ構成図であり、図１０はその諸収差図である。表１７は面データ、表１８は各種データ、表１９は焦点距離データ、表２０は非球面データである。
【００５２】
この数値実施例５のレンズ構成は、以下の点を除いて、数値実施例１のレンズ構成と同様である。
（１）第１レンズ群Ｇ１が、物体側から順に、非球面ガラスモールドレンズ（両面非球面）からなる負レンズ１１’と、球面ガラスレンズからなる正レンズ１２’と、球面ガラスレンズからなる負レンズ１３’と、球面ガラスレンズからなる正レンズ１４’とから構成されている。負レンズ１１’の物体側の非球面は、近軸において物体側に凸面を向け、その有効径内で近軸曲率（中心部曲率）が最も大きく、且つ、その有効径内（近軸以外の周辺部）に近軸曲率（中心部曲率）の１／２以下の曲率となる部分を含んでいる。正レンズ１２’は像側に凸面を向けた正メニスカスレンズである。負レンズ１３’は像側に凸面を向けた負メニスカスレンズである。正レンズ１４’は両凸正レンズである。
（２）第２レンズ群Ｇ２が、物体側から順に、球面ガラスレンズからなる正レンズ２１Ａと、球面ガラスレンズからなる負レンズ２２Ａと、球面ガラスレンズからなる正レンズ２３Ａと、球面ガラスレンズからなる正レンズ２４Ａとから構成されている。正レンズ２１Ａは両凸正レンズである。負レンズ２２Ａは両凹負レンズであり、正レンズ２３Ａは両凸正レンズであり、これら両凹負レンズ２２Ａと両凸正レンズ２３Ａは接合されている。正レンズ２４Ａは物体側に凸面を向けた正メニスカスレンズである。
【００５３】
（表１７）
面データ
面番号       r         d         N(d)       νｄ       有効径
1*         8.260     4.070     1.58313      59.5        6.46
2*         3.081     3.579                              3.45
3        -10.417     2.360     1.91082      35.3        2.88
4         -9.252     0.571                              3.17
5         -5.782     2.066     1.55032      75.5        3.16
6         -8.688     0.050                              3.60
7         53.769     3.000     1.55032      75.5        3.67
8         -9.907     0.850                              3.71
9(絞り)      ∞      4.441                              3.38
10        10.713     4.792     1.55032      75.5        5.36
11       -16.979     0.165                              5.32
12       -15.718     1.000     1.84666      23.8        5.29
13         13.53     3.449     1.77250      49.6        5.45
14       -51.443     0.100                              5.59
15         8.178     2.430     1.77250      49.6        5.70
16        18.668     3.046                              5.38
17          ∞       1.900     1.51680      64.2        4.44
18          ∞       0.045                              3.94
IM（像面）
＊は回転対称非球面である。
（表１８）
各種データ
f              6.26
FNO.           1.60
W                50
Y              3.82
負レンズ１１’の物体側の面の中心における曲率       0.12
（近軸曲率、近軸の凸面の曲率）［1/mm］
負レンズ１１’の物体側の面の有効径における曲率    -0.07
（ここでは一例として最周辺部の曲率）［1/mm］
センサーサイズで規格化した全系の焦点距離           1.64
（表１９）
焦点距離データ
第１レンズ群Ｇ１の焦点距離      28.746
第２レンズ群Ｇ２の焦点距離      11.505
負レンズ１１’の焦点距離       -11.857
正レンズ１２’の焦点距離        46.207
負レンズ１３’の焦点距離       -42.015
正レンズ１４’の焦点距離        15.460
正レンズ２１Ａの焦点距離        12.717
負レンズ２２Ａの焦点距離        -8.455
正レンズ２３Ａの焦点距離        14.196
正レンズ２４Ａの焦点距離        17.112
（表２０）
非球面データ
面番号   K           A4            A6            A8           A10
1     -1.000  -5.72301E-04  -1.78820E-05   4.64073E-07  -3.16690E-09
2     -1.000  -3.69277E-04  -5.68434E-05   2.03815E-06   1.39353E-07
【００５４】
［数値実施例６］
図１１〜図１２と表２１〜表２４は、本発明による撮像光学系の数値実施例６を示している。図１１はレンズ構成図であり、図１２はその諸収差図である。表２１は面データ、表２２は各種データ、表２３は焦点距離データ、表２４は非球面データである。
【００５５】
この数値実施例６のレンズ構成は、以下の点を除いて、数値実施例１のレンズ構成と同様である。
（１）第１レンズ群Ｇ１が、正の屈折力ではなく、負の屈折力を持っている。
（２）第１レンズ群Ｇ１の正レンズ１２が、非球面ガラスモールドレンズ（両面非球面）からなり、像側に凸面を向けた正メニスカスレンズからなる。
（３）第２レンズ群Ｇ２が、物体側から順に、球面ガラスレンズからなる正レンズ２１Ｂと、球面ガラスレンズからなる負レンズ２２Ｂと、球面ガラスレンズからなる正レンズ２３Ｂと、球面ガラスレンズからなる正レンズ２４Ｂとから構成されている。正レンズ２１Ｂは両凸正レンズである。負レンズ２２Ｂは物体側に凸面を向けた負メニスカスレンズであり、正レンズ２３Ｂは物体側に凸面を向けた正メニスカスレンズであり、これら負メニスカスレンズ２２Ｂと正メニスカスレンズ２３Ｂは接合されている。正レンズ２４Ｂは物体側に凸面を向けた正メニスカスレンズである。
（４）第２レンズ群Ｇ２とカバーガラスＣＧの間に光学フィルタＯＰが配置されている。
【００５６】
（表２１）
面データ
面番号       r         d         N(d)       νｄ       有効径
1*         5.661     3.869     1.58313      59.5        6.59
2*         2.445     3.918                              3.61
3*        -8.553     2.500     1.88202      37.2        3.30
4*        -7.324     0.340                              3.52
5(絞り)      ∞      3.569                              2.95
6          25.08     4.100     1.55032      75.5        2.99
7        -10.986     0.138                              3.93
8         15.231     1.000     1.92286      20.9        4.29
9          6.525     3.734     1.77250      49.6        4.25
10        28.103     0.100                              4.38
11         8.654     3.665     1.55032      75.5        4.63
12       123.416     1.000                              4.41
13          ∞       0.400     1.51680      64.2        4.29
14          ∞       2.434                              4.26
15          ∞       0.400     1.51680      64.2        3.96
16          ∞       0.045                              3.93
IM（像面）
＊は回転対称非球面である。
（表２２）
各種データ
f              6.26
FNO.           1.60
W                50
Y              3.82
負レンズ１１の物体側の面の中心における曲率       0.18
（近軸曲率、近軸の凸面の曲率）［1/mm］
負レンズ１１の物体側の面の有効径における曲率    -0.03
（ここでは一例として最周辺部の曲率）［1/mm］
センサーサイズで規格化した全系の焦点距離         1.64
（表２３）
焦点距離データ
第１レンズ群Ｇ１の焦点距離     -35.594
第２レンズ群Ｇ２の焦点距離       7.882
負レンズ１１の焦点距離         -13.252
正レンズ１２の焦点距離          29.576
正レンズ２１Ｂの焦点距離        14.466
負レンズ２２Ｂの焦点距離       -13.090
正レンズ２３Ｂの焦点距離        10.228
正レンズ２４Ｂの焦点距離        16.722
（表２４）
非球面データ
面番号   K           A3            A4            A6            A8
1     -1.000   0.00000E+00  -3.47741E-04  -1.38749E-05  -1.44077E-06
2     -1.000   0.00000E+00   2.34139E-04  -1.57714E-04  -1.79401E-05
3     -1.000   9.86161E-05  -8.50683E-04  -1.57785E-04   2.17920E-05
4     -1.000   2.60017E-04  -6.84008E-04  -8.48713E-06  -2.46909E-08
面番号              A10           A12           A14
1              7.07668E-08  -1.15489E-09   6.76641E-12
2              2.77809E-06  -1.31636E-07   2.61888E-09
3             -2.65296E-06   1.86141E-07  -5.85140E-09
4             -8.37064E-08   1.25123E-08  -5.52069E-10
【００５７】
［数値実施例７］
図１３〜図１４と表２５〜表２８は、本発明による撮像光学系の数値実施例７を示している。図１３はレンズ構成図であり、図１４はその諸収差図である。表２５は面データ、表２６は各種データ、表２７は焦点距離データ、表２８は非球面データである。
【００５８】
この数値実施例７のレンズ構成は、以下の点を除いて、数値実施例１のレンズ構成と同様である。
（１）第１レンズ群Ｇ１が、正の屈折力ではなく、負の屈折力を持っている。
（２）第１レンズ群Ｇ１の正レンズ１２が、非球面ガラスモールドレンズ（両面非球面）からなり、像側に凸面を向けた正メニスカスレンズからなる。
（３）第２レンズ群Ｇ２が、物体側から順に、球面ガラスレンズからなる正レンズ２１Ｃと、球面ガラスレンズからなる正レンズ２２Ｃと、球面ガラスレンズからなる負レンズ２３Ｃと、球面ガラスレンズからなる正レンズ２４Ｃとから構成されている。正レンズ２１Ｃは両凸正レンズである。正レンズ２２Ｃは両凸正レンズであり、負レンズ２３Ｃは両凹負レンズであり、これら両凸正レンズ２２Ｃと両凹負レンズ２３Ｃは接合されている。正レンズ２４Ｃは物体側に凸面を向けた正メニスカスレンズである。
【００５９】
（表２５）
面データ
面番号       r         d         N(d)       νｄ       有効径
1*         8.050     3.000     1.80139      45.5        5.10
2*         3.120     2.351                              3.15
3*       -12.575     3.000     1.82080      42.7        3.00
4*         -7.65    -0.360                              3.17
5(絞り)      ∞      7.206                              3.00
6         21.036     4.000     1.55032      75.5        4.41
7        -13.181     0.100                              5.00
8         13.407     3.881     1.58913      61.3        5.30
9        -13.407     1.400     1.92286      20.9        5.17
10       113.853     0.100                              5.20
11         8.194     3.413     1.55032      75.5        5.33
12        16.595     4.464                              4.80
13          ∞       0.400     1.51680      64.2        3.99
14          ∞       0.045                              3.94
IM（像面）
＊は回転対称非球面である。
（表２６）
各種データ
f              6.26
FNO.           1.60
W                50
Y              3.82
負レンズ１１の物体側の面の中心における曲率       0.12
（近軸曲率、近軸の凸面の曲率）［1/mm］
負レンズ１１の物体側の面の有効径における曲率     0.02
（ここでは一例として最周辺部の曲率）［1/mm］
センサーサイズで規格化した全系の焦点距離         1.64
（表２７）
焦点距離データ
第１レンズ群Ｇ１の焦点距離     -28.321
第２レンズ群Ｇ２の焦点距離       8.807
負レンズ１１の焦点距離          -8.718
正レンズ１２の焦点距離          18.671
正レンズ２１Ｃの焦点距離        15.363
正レンズ２２Ｃの焦点距離        12.024
負レンズ２３Ｃの焦点距離       -12.929
正レンズ２４Ｃの焦点距離        25.708
（表２８）
非球面データ
面番号   K           A3            A4            A6            A8
1     -1.000   0.00000E+00  -1.17811E-03  -1.17392E-04   9.67332E-07
2     -1.000   0.00000E+00  -7.43680E-04  -3.38404E-05  -7.41479E-08
3     -1.000   0.00000E+00  -1.51525E-03  -2.24627E-05   3.97479E-07
4     -1.000   0.00000E+00  -2.99872E-03  -1.10455E-04   6.99873E-06
面番号              A10           A12           A14
1              1.33292E-07   1.29888E-08   0.00000E+00
2              1.54911E-07  -8.66691E-09   0.00000E+00
3              7.16787E-08  -2.36168E-09   2.02749E-11
4              2.03734E-06  -3.11172E-07   1.84754E-08
【００６０】
［数値実施例８］
図１５〜図１６と表２９〜表３２は、本発明による撮像光学系の数値実施例８を示している。図１５はレンズ構成図であり、図１６はその諸収差図である。表２９は面データ、表３０は各種データ、表３１は焦点距離データ、表３２は非球面データである。
【００６１】
この数値実施例８のレンズ構成は、以下の点を除いて、数値実施例１のレンズ構成と同様である。
（１）第１レンズ群Ｇ１が、正の屈折力ではなく、負の屈折力を持っている。
（２）第１レンズ群Ｇ１の正レンズ１２が、非球面ガラスモールドレンズ（両面非球面）からなり、像側に凸面を向けた正メニスカスレンズからなる。
（３）第２レンズ群Ｇ２が、物体側から順に、球面ガラスレンズからなる正レンズ２１Ｄと、球面ガラスレンズからなる正レンズ２２Ｄと、球面ガラスレンズからなる負レンズ２３Ｄと、非球面ガラスモールドレンズ（両面非球面）からなる正レンズ２４Ｄとから構成されている。正レンズ２１Ｄは両凸正レンズである。正レンズ２２Ｄは両凸正レンズであり、負レンズ２３Ｄは両凹負レンズであり、これら両凸正レンズ２２Ｄと両凹負レンズ２３Ｄは接合されている。正レンズ２４Ｄは両凸正レンズである。
【００６２】
（表２９）
面データ
面番号       r         d         N(d)       νｄ       有効径
1*         6.259     3.700     1.80139      45.5        5.87
2*         2.710     2.930                              3.10
3*        -7.403     2.822     1.85135      40.1        2.82
4*        -6.754    -0.254                              3.07
5(絞り)      ∞      3.474                              2.85
6         20.346     3.422     1.55032      75.5        3.03
7         -10.46     0.100                              3.75
8         10.851     3.357     1.65844      50.9        4.13
9        -10.851     1.000     1.84666      23.8        4.07
10        14.583     1.285                              4.10
11         7.063     2.861     1.55332      71.7        4.83
12*      -83.869     3.658                              4.71
13*         ∞       0.400     1.51680      64.2        3.98
14          ∞       0.045                              3.93
IM（像面）
＊は回転対称非球面である。
（表３０）
各種データ
f              6.26
FNO.           1.60
W                50
Y              3.82
負レンズ１１の物体側の面の中心における曲率       0.16
（近軸曲率、近軸の凸面の曲率）［1/mm］
負レンズ１１の物体側の面の有効径における曲率    -1.09
（ここでは一例として最周辺部の曲率）［1/mm］
センサーサイズで規格化した全系の焦点距離         1.64
（表３１）
焦点距離データ
第１レンズ群Ｇ１の焦点距離     -25.345
第２レンズ群Ｇ２の焦点距離       7.895
負レンズ１１の焦点距離         -11.123
正レンズ１２の焦点距離          30.158
正レンズ２１Ｄの焦点距離        13.068
正レンズ２２Ｄの焦点距離         8.779
負レンズ２３Ｄの焦点距離        -7.218
正レンズ２４Ｄの焦点距離        11.907
（表３２）
非球面データ
面番号   K           A3            A4            A6            A8
1     -1.000   0.00000E+00  -3.79799E-04  -1.13353E-05  -8.89522E-07
2     -1.000   0.00000E+00   8.03159E-05  -2.27561E-04   3.04046E-05
3     -1.000   0.00000E+00  -1.65137E-03  -1.82980E-04   2.24647E-05
4     -1.000   0.00000E+00  -8.54271E-04  -4.96999E-05   6.34259E-06
12     0.000   0.00000E+00  -2.44234E-04   1.78643E-06  -9.03745E-08
13     0.000   0.00000E+00  -1.55469E-04   2.18036E-05  -6.95018E-07
面番号              A10           A12           A14
1              4.73436E-08  -7.30848E-10   3.84216E-12
2             -3.87017E-06   3.30234E-07  -8.34750E-09
3             -2.69113E-06   8.72112E-08   0.00000E+00
4             -6.66119E-07   2.46417E-08   0.00000E+00
12            -8.31728E-10   0.00000E+00   0.00000E+00
13             7.84930E-09   0.00000E+00   0.00000E+00
【００６３】
［数値実施例９］
図１７〜図１８と表３３〜表３６は、本発明による撮像光学系の数値実施例９を示している。図１７はレンズ構成図であり、図１８はその諸収差図である。表３３は面データ、表３４は各種データ、表３５は焦点距離データ、表３６は非球面データである。
【００６４】
この数値実施例９のレンズ構成は、以下の点を除いて、数値実施例８のレンズ構成と同様である。
（１）第２レンズ群Ｇ２の正レンズ２４Ｄが物体側に凸面を向けた正メニスカスレンズである。
【００６５】
（表３３）
面データ
面番号       r         d         N(d)       νｄ       有効径
1*         5.725     3.700     1.58313      59.5        6.07
2*         2.401     3.170                              3.21
3*        -8.306     2.960     1.82080      42.7        2.94
4*        -7.524    -0.510                              3.06
5(絞り)     ∞       4.510                              2.99
6          24.34     3.050     1.55032      75.5        3.40
7        -10.063     0.100                              3.97
8         11.469     3.450     1.58913      61.3        4.35
9        -11.469     1.000     1.84666      23.8        4.31
10        27.671     1.420                              4.38
11         7.931     2.770     1.55332      71.7        4.95
12*          765     3.935                              4.77
13*          ∞      0.400     1.51680      64.2        3.98
14           ∞      0.045                              3.93
IM（像面）
＊は回転対称非球面である。
（表３４）
各種データ
f              6.28
FNO.           1.60
W                50
Y              3.82
負レンズ１１の物体側の面の中心における曲率       0.17
（近軸曲率、近軸の凸面の曲率）［1/mm］
負レンズ１１の物体側の面の有効径における曲率    -0.05
（ここでは一例として最周辺部の曲率）［1/mm］
センサーサイズで規格化した全系の焦点距離         1.64
（表３５）
焦点距離データ
第１レンズ群Ｇ１の焦点距離     -25.042
第２レンズ群Ｇ２の焦点距離       8.092
負レンズ１１の焦点距離         -12.020
正レンズ１２の焦点距離          35.977
正レンズ２１Ｄの焦点距離        13.357
正レンズ２２Ｄの焦点距離        10.309
負レンズ２３Ｄの焦点距離        -9.466
正レンズ２４Ｄの焦点距離        14.465
（表３６）
非球面データ
面番号   K           A3            A4            A6            A8
1     -1.000   0.00000E+00  -5.87800E-04  -2.19240E-05  -1.01330E-06
2     -1.000   0.00000E+00  -1.84270E-05  -4.00680E-04   6.37420E-05
3     -1.000   0.00000E+00  -1.30600E-03  -9.40530E-05   7.16250E-06
4     -1.000   0.00000E+00  -6.83630E-04  -6.90430E-06  -1.68400E-06
12     0.000   0.00000E+00  -6.40600E-05   6.29090E-06  -8.97570E-08
13     0.000   0.00000E+00  -4.54950E-05   2.68090E-05  -8.46770E-07
面番号              A10           A12           A14
1              7.93010E-08  -1.66940E-09   1.22390E-11
2             -9.10110E-06   8.30070E-07  -2.94460E-08
3             -4.58590E-07  -6.16250E-09   0.00000E+00
4              2.60850E-07  -1.31260E-08   0.00000E+00
12            -1.06430E-09   0.00000E+00   0.00000E+00
13             6.24780E-09   0.00000E+00   0.00000E+00
【００６６】
［数値実施例１０］
図１９〜図２０と表３７〜表４０は、本発明による撮像光学系の数値実施例１０を示している。図１９はレンズ構成図であり、図２０はその諸収差図である。表３７は面データ、表３８は各種データ、表３９は焦点距離データ、表４０は非球面データである。
【００６７】
この数値実施例１０のレンズ構成は、数値実施例８のレンズ構成と同様である。
【００６８】
（表３７）
面データ
面番号       r         d         N(d)       νｄ       有効径
1*         5.563     2.893     1.58913      61.3        5.53
2*         2.756     3.376                              3.22
3*        -6.672     2.247     1.85135      40.1        2.52
4*        -6.399    -0.434                              2.53
5(絞り)     ∞       3.102                              2.48
6         62.161     3.123     1.59282      68.6        3.46
7         -8.555     0.100                              4.06
8         12.136     3.189     1.83481      42.7        4.40
9        -15.408     0.800     1.94595      18.0        4.30
10        20.604     0.409                              4.24
11        14.263     4.115     1.55332      71.7        4.32
12*     -135.674     3.055                              4.26
13*         ∞       0.400     1.51680      64.2        3.95
14          ∞       0.045                              3.93
IM（像面）
＊は回転対称非球面である。
（表３８）
各種データ
f              6.27
FNO.           1.60
W                50
Y              3.82
負レンズ１１の物体側の面の中心における曲率       0.18
（近軸曲率、近軸の凸面の曲率）［1/mm］
負レンズ１１の物体側の面の有効径における曲率     0.03
（ここでは一例として最周辺部の曲率）［1/mm］
センサーサイズで規格化した全系の焦点距離         1.64
（表３９）
焦点距離データ
第１レンズ群Ｇ１の焦点距離     -34.478
第２レンズ群Ｇ２の焦点距離       7.466
負レンズ１１の焦点距離         -15.002
正レンズ１２の焦点距離          38.389
正レンズ２１Ｄの焦点距離        12.897
正レンズ２２Ｄの焦点距離         8.584
負レンズ２３Ｄの焦点距離        -9.220
正レンズ２４Ｄの焦点距離        23.555
（表４０）
非球面データ
面番号   K           A3            A4            A6            A8
1     -1.000  -2.89349E-04  -8.99891E-04  -5.60232E-05   4.18669E-07
2     -1.000   0.00000E+00  -2.00874E-03  -8.11287E-05  -3.54775E-05
3     -1.000   0.00000E+00  -2.28195E-03   7.94055E-05  -3.97875E-05
4     -1.000   0.00000E+00  -9.54252E-04   2.96517E-05  -6.27985E-06
12     0.000   0.00000E+00  -2.53188E-04   2.31737E-05  -1.48152E-06
13     0.000   0.00000E+00  -1.62301E-03   1.05056E-04  -2.80912E-06
面番号              A10           A12           A14
1              1.19427E-07  -4.20148E-09   4.38636E-11
2              9.91674E-06  -8.21335E-07   2.57290E-08
3              7.22797E-06  -4.44000E-07   0.00000E+00
4              7.83979E-07  -3.51431E-08   0.00000E+00
12             4.24313E-08  -3.95478E-10   0.00000E+00
13            -1.56731E-08   1.82684E-09   0.00000E+00
【００６９】
［数値実施例１１］
図２１〜図２２と表４１〜表４４は、本発明による撮像光学系の数値実施例１１を示している。図２１はレンズ構成図であり、図２２はその諸収差図である。表４１は面データ、表４２は各種データ、表４３は焦点距離データ、表４４は非球面データである。
【００７０】
この数値実施例１１のレンズ構成は、以下の点を除いて、数値実施例８のレンズ構成と同様である。
（１）第２レンズ群Ｇ２の両凸正レンズ２１Ｄが非球面ガラスモールドレンズ（両面非球面）からなる。
【００７１】
（表４１）
面データ
面番号       r         d         N(d)       νｄ       有効径
1*         5.518     3.251     1.55332      71.7        5.70
2*         2.493     3.376                              3.11
3*        -6.802     1.864     1.77377      47.2        2.54
4*        -6.11     -0.418                              2.56
5(絞り)     ∞       2.806                              2.48
6        106.266     3.965     1.55332      71.7        3.19
7*        -6.707     0.100                              4.04
8*        11.768     3.180     1.72916      54.7        4.40
9        -16.455     1.000     1.92286      20.9        4.32
10        20.581     0.382                              4.29
11        14.381     3.494     1.55332      71.7        4.40
12*      -88.174     3.555                              4.39
13*         ∞       0.400     1.51680      64.2        3.96
14          ∞       0.045                              3.93
IM（像面）
＊は回転対称非球面である。
（表４２）
各種データ
f              6.38
FNO.           1.60
W                50
Y              3.82
負レンズ１１の物体側の面の中心における曲率       0.18
（近軸曲率、近軸の凸面の曲率）［1/mm］
負レンズ１１の物体側の面の有効径における曲率    -0.26
（ここでは一例として最周辺部の曲率）［1/mm］
センサーサイズで規格化した全系の焦点距離         1.67
（表４３）
焦点距離データ
第１レンズ群Ｇ１の焦点距離     -27.904
第２レンズ群Ｇ２の焦点距離       7.404
負レンズ１１の焦点距離         -13.321
正レンズ１２の焦点距離          35.686
正レンズ２１Ｄの焦点距離        11.547
正レンズ２２Ｄの焦点距離         9.879
負レンズ２３Ｄの焦点距離        -9.782
正レンズ２４Ｄの焦点距離        22.620
（表４４）
非球面データ
面番号   K           A3            A4            A6            A8
1     -1.000  -4.80105E-04  -6.52202E-04  -6.82464E-05   1.23824E-06
2     -1.000   0.00000E+00  -1.10134E-03  -8.64999E-05  -4.73374E-05
3     -1.000   0.00000E+00  -1.80327E-03  -1.73512E-04   3.19188E-05
4     -1.000   0.00000E+00  -9.40848E-04  -2.99926E-05  -8.61362E-07
7      0.000   0.00000E+00  -8.63069E-05   4.02963E-06  -1.69777E-06
8      0.000   0.00000E+00   1.64014E-04   9.45447E-06  -4.11245E-07
12     0.000   0.00000E+00  -3.14502E-04   3.55676E-05  -1.59155E-06
13     0.000   0.00000E+00  -2.04304E-03   1.27658E-04  -4.14327E-06
面番号              A10           A12           A14
1              6.69905E-08  -2.72200E-09   2.88840E-11
2              1.27235E-05  -9.80526E-07   2.37229E-08
3             -4.65007E-06   1.76472E-07   0.00000E+00
4              1.07511E-07  -1.75149E-08   0.00000E+00
7              2.36113E-08   0.00000E+00   0.00000E+00
8             -7.57629E-09   0.00000E+00   0.00000E+00
12             2.40321E-08   0.00000E+00   0.00000E+00
13             5.64850E-08   0.00000E+00   0.00000E+00
【００７２】
［数値実施例１２］
図２３〜図２４と表４５〜表４８は、本発明による撮像光学系の数値実施例１２を示している。図２３はレンズ構成図であり、図２４はその諸収差図である。表４５は面データ、表４６は各種データ、表４７は焦点距離データ、表４８は非球面データである。
【００７３】
この数値実施例１２のレンズ構成は、数値実施例９のレンズ構成と同様である。
【００７４】
（表４５）
面データ
面番号       r         d         N(d)       νｄ       有効径
1*         5.500     3.537     1.58313      59.5        5.74
2*         2.572     2.917                              3.12
3*        -7.351     2.821     1.55332      71.7        2.77
4*         -6.5     -0.419                              2.52
5(絞り)      ∞      3.199                              2.48
6         20.209     3.397     1.59282      68.6        3.93
7         -9.695     0.100                              4.31
8         10.378     3.815     1.59282      68.6        4.40
9        -10.378     1.000     1.92286      20.9        4.28
10       587.159     0.349                              4.33
11        16.685     2.200     1.55332      71.7        4.38
12*      224.469     3.639                              4.25
13*         ∞       0.400     1.51680      64.2        3.95
14          ∞       0.045                              3.93
IM（像面）
＊は回転対称非球面である。
（表４６）
各種データ
f              6.61
FNO.           1.60
W                50
Y              3.82
負レンズ１１の物体側の面の中心における曲率       0.18
（近軸曲率、近軸の凸面の曲率）［1/mm］
負レンズ１１の物体側の面の有効径における曲率    -0.07
（ここでは一例として最周辺部の曲率）［1/mm］
センサーサイズで規格化した全系の焦点距離         1.73
（表４７）
焦点距離データ
第１レンズ群Ｇ１の焦点距離     -27.745
第２レンズ群Ｇ２の焦点距離       7.381
負レンズ１１の焦点距離         -14.924
正レンズ１２の焦点距離          46.524
正レンズ２１Ｄの焦点距離        11.540
正レンズ２２Ｄの焦点距離         9.395
負レンズ２３Ｄの焦点距離        -9.220
正レンズ２４Ｄの焦点距離        32.453
（表４８）
非球面データ
面番号   K           A3            A4            A6            A8
1     -1.000  -1.93345E-04  -6.60222E-04  -3.25902E-05  -1.38790E-06
2     -1.000   0.00000E+00  -2.24645E-03   9.65534E-05  -8.11262E-05
3     -1.000   0.00000E+00  -2.20620E-03  -6.27326E-06   4.17157E-07
4     -1.000   0.00000E+00  -9.71837E-04   1.18419E-04  -3.10838E-05
12     0.000   0.00000E+00  -5.74002E-04   6.78388E-05  -2.25051E-06
13     0.000   0.00000E+00  -1.60217E-03   1.30989E-04  -1.66970E-06
面番号              A10           A12           A14
1              1.30847E-07  -3.00640E-09   2.31405E-11
2              1.33573E-05  -8.61099E-07   2.38868E-08
3              5.80187E-07  -4.65725E-08   0.00000E+00
4              4.44148E-06  -2.37080E-07   0.00000E+00
12            -1.01473E-08   1.55364E-09   0.00000E+00
13            -1.74956E-07   6.00202E-09   0.00000E+00
【００７５】
［数値実施例１３］
図２５〜図２６と表４９〜表５２は、本発明による撮像光学系の数値実施例１３を示している。図２５はレンズ構成図であり、図２６はその諸収差図である。表４９は面データ、表５０は各種データ、表５１は焦点距離データ、表５２は非球面データである。
【００７６】
この数値実施例１３のレンズ構成は、以下の点を除いて、数値実施例９のレンズ構成と同様である。
（１）第２レンズ群Ｇ２の負レンズ２３Ｄが像側に凸面を向けた負メニスカスレンズである。
【００７７】
（表４９）
面データ
面番号       r         d         N(d)       νｄ       有効径
1*         4.700     3.200     1.58313      59.5        5.26
2*         2.239     2.709                              2.76
3*        -6.726     1.850     1.82080      42.7        2.37
4*        -6.702    -0.304                              2.32
5(絞り)      ∞      2.427                              2.26
6         20.061     3.286     1.55032      75.5        3.39
7         -8.185     0.100                              3.93
8          9.794     3.852     1.65844      50.9        4.20
9         -9.794     0.700     1.94595      18.0        4.11
10      -855.909     0.359                              4.16
11        13.728     1.743     1.55332      71.7        4.21
12*       61.506     3.633                              4.17
13*         ∞       0.400     1.51680      64.2        3.94
14          ∞       0.045                              3.92
IM（像面）
＊は回転対称非球面である。
（表５０）
各種データ
f              6.38
FNO.           1.60
W                50
Y              3.82
負レンズ１１の物体側の面の中心における曲率       0.21
（近軸曲率、近軸の凸面の曲率）［1/mm］
負レンズ１１の物体側の面の有効径における曲率     0.00
（ここでは一例として最周辺部の曲率）［1/mm］
センサーサイズで規格化した全系の焦点距離         1.67
（表５１）
焦点距離データ
第１レンズ群Ｇ１の焦点距離     -21.042
第２レンズ群Ｇ２の焦点距離       6.507
負レンズ１１の焦点距離         -14.065
正レンズ１２の焦点距離          63.958
正レンズ２１Ｄの焦点距離        11.018
正レンズ２２Ｄの焦点距離         8.067
負レンズ２３Ｄの焦点距離       -10.478
正レンズ２４Ｄの焦点距離        31.530
（表５２）
非球面データ
面番号   K           A3            A4            A6            A8
1     -1.000  -2.75814E-04  -4.78259E-04  -1.73307E-05  -5.70212E-06
2     -1.000   0.00000E+00  -1.45649E-03   1.00529E-03  -5.02109E-04
3     -1.000   0.00000E+00  -3.04409E-03   2.82701E-04  -1.20934E-04
4     -1.000   0.00000E+00  -1.69283E-03   2.58587E-04  -9.22176E-05
12     0.000   0.00000E+00  -1.15075E-03   1.08111E-04  -5.85477E-06
13     0.000   0.00000E+00  -2.19775E-03   2.12333E-04  -9.74758E-06
面番号              A10           A12           A14
1              4.02511E-07  -1.01861E-08   9.41926E-11
2              9.37772E-05  -7.33965E-06   2.03370E-07
3              2.02118E-05  -1.31318E-06   0.00000E+00
4              1.50890E-05  -9.29631E-07   0.00000E+00
12             1.12073E-07   0.00000E+00   0.00000E+00
13             1.73312E-07   0.00000E+00   0.00000E+00
【００７８】
各数値実施例の各条件式に対する値を表５３に示す。
（表５３）
実施例１    実施例２    実施例３    実施例４
条件式（１）  1.11        1.26        1.21        1.25
条件式（２）  0.79        0.66        0.65        0.65
条件式（３） -1.43       -1.76       -1.77       -1.66
条件式（４）  75.5        75.5        75.5        75.5
条件式（５） -0.06        0.11        0.02        0.31
条件式（６）  0.52        0.47        0.46        0.48
実施例５    実施例６    実施例７    実施例８    実施例９
条件式（１）  1.32        0.90        1.29        1.00        0.91
条件式（２）  0.65        0.62        0.48        0.59        0.59
条件式（３） -1.89       -2.12       -1.39       -1.78       -1.91
条件式（４）  75.5        75.5        75.5        75.5        75.5
条件式（５） -0.41        0.37        0.31        0.44        0.48
条件式（６）  0.46        0.40        0.44        0.40        0.41
実施例１０    実施例１１    実施例１２    実施例１３
条件式（１）  0.89          0.87          0.83          0.74
条件式（２）  0.46          0.51          0.53          0.50
条件式（３） -2.39         -2.09         -2.26         -2.20
条件式（４）  68.6          71.7          68.6          75.5
条件式（５）  0.44          0.48          0.54          0.67
条件式（６）  0.34          0.38          0.36          0.35
【００７９】
表５３から明らかなように、数値実施例１〜数値実施例１３は、条件式（１）〜条件式（６）を満足しており、諸収差図から明らかなように諸収差は比較的よく補正されている。
【符号の説明】
【００８０】
Ｇ１  正または負の屈折力を持つ第１レンズ群
１１  負レンズ
１２  正レンズ（正メニスカスレンズ）
１１’  負レンズ
１２’  正レンズ（正メニスカスレンズ）
Ｇ２  正の屈折力を持つ第２レンズ群
２１  第２レンズ群中の最も開口絞り側のレンズ
２１’  第２レンズ群中の最も開口絞り側のレンズ
２１”  第２レンズ群中の最も開口絞り側のレンズ
２１Ａ  第２レンズ群中の最も開口絞り側のレンズ
２１Ｂ  第２レンズ群中の最も開口絞り側のレンズ
２１Ｃ  第２レンズ群中の最も開口絞り側のレンズ
２１Ｄ  第２レンズ群中の最も開口絞り側のレンズ
Ｓ  開口絞り
ＯＰ  光学フィルタ
ＣＧ  カバーガラス
ＩＭ  像面
【図１】
2017173807.tif 000003
【図２】
2017173807.tif 000004
【図３】
2017173807.tif 000005
【図４】
2017173807.tif 000006
【図５】
2017173807.tif 000007
【図６】
2017173807.tif 000008
【図７】
2017173807.tif 000009
【図８】
2017173807.tif 000010
【図９】
2017173807.tif 000011
【図１０】
2017173807.tif 000012
【図１１】
2017173807.tif 000013
【図１２】
2017173807.tif 000014
【図１３】
2017173807.tif 000015
【図１４】
2017173807.tif 000016
【図１５】
2017173807.tif 000017
【図１６】
2017173807.tif 000018
【図１７】
2017173807.tif 000019
【図１８】
2017173807.tif 000020
【図１９】
2017173807.tif 000021
【図２０】
2017173807.tif 000022
【図２１】
2017173807.tif 000023
【図２２】
2017173807.tif 000024
【図２３】
2017173807.tif 000025
【図２４】
2017173807.tif 000026
【図２５】
2017173807.tif 000027
【図２６】
2017173807.tif 000028